(57)【要約】      （修正有）【課題】  水産資源動物の養殖において、水産資源動物を高い歩留で得るのに有効な、植物エキスを含むことを特徴とする水産動物資源用飼料およびこれを用いた水産資源動物の飼育方法を提供すること。【解決手段】  蒸煮工程を経て得られる植物エキスを含むことを特徴とする水産動物資源用飼料。  さらに、当該植物エキスが、植物を蒸煮した後に水、エタノールまたはそれらの混合物で抽出して得られるエキスであることを特徴とする水産動物資源用飼料。【選択図】なし【特許請求の範囲】
【請求項１】
蒸煮工程を経て得られる植物エキスを含むことを特徴とする水産動物資源用飼料。
【請求項２】
植物エキスが、植物を蒸煮した後に水、エタノールまたはそれらの混合物で抽出して得られるエキスであることを特徴とする請求項１記載の水産動物資源用飼料。
【請求項３】
植物エキスがイネ科植物エキスであることを特徴とする請求項１または２記載の水産動物資源用飼料
【請求項４】
水産動物資源が甲殻類動物、フグ目動物、および／またはカレイ目動物であることを特徴とする請求項１〜３いずれか記載の水産動物資源用飼料。
【請求項５】
蒸煮工程を経て得られる植物エキスを含むことを特徴とする水産動物資源用飼料を用いる事を特徴とする水産動物の飼育方法。
【発明の詳細な説明】
【技術分野】
【０００１】
本発明は、植物エキスを含むことを特徴とする水産動物資源用飼料およびこれを用いた水産資源動物の飼育方法に関する。この飼料は、水産資源動物の養殖において、水産資源動物を高い歩留で得るのに有用である。
【背景技術】
【０００２】
水産動物資源を安定的に確保する事は日本の食文化にとって重要であり、この為に養殖業は欠かせない存在となっているが、養殖業には様々な問題が山積している。
【０００３】
かねてから指摘されている問題の一つに、餌の過剰投与、過密養殖等による魚場の汚染が挙げられる。養殖は、陸と海とが入り組み、海流のおだやかな入り江で為されることが多い為、海流による浄化作用がききにくいのである。このことが、水産動物の歩留に影響し、養殖業者にとっては深刻な問題となっている。近年では餌も改良され、また投餌技術も進歩したため、このような問題は低減されて来てはいるが、魚種によっては更なる歩留向上が求められる。
【０００４】
従来ではこういった問題に対し、ウイルス性および細菌性の疾病に対して、ワクチンおよび抗生物質・合成抗菌物質など、薬剤による治療が為されて来たが、このような方法では、耐性菌の出現などにより、治療効果は頭打ちになってしまう。よって、疾病による斃死数を見越して、過度な収容密度での養成がなされ、ストレスの増大とともに免疫機能が低下し、最終的には疾病が多発・蔓延して生産性を低下させるなど悪循環に陥っている。
【０００５】
また近年では、食の安全・安心がクローズアップされるのに伴って、HACCP（Hazard Analysis Critical Control Point ）による対応に迫られトレーサビリティが重要視されるようになった。そのため、薬剤は認可された魚種のみに限定されるとともに、薬剤の使用をできるかぎり避ける方向での養殖管理が望まれている。
【０００６】
水産資源動物の中でも、甲殻類動物、フグ目動物、カレイ目動物に属する動物は水産資源として非常に重要で高級品であり、多くは産業的に養殖されている。これら水産動物の養殖は、天然の海面を区切り、その水域内に養殖すべき動物の稚仔または幼生を放養し、これに生餌、配合飼料などを投与して行われている。近年では陸上の施設に大型の生簀を設置してそこで養殖される事も多い。何れにせよ、養殖する水域の環境は養殖動物にとって非常に重要である。
【特許文献１】なし
【発明の開示】
【発明が解決しようとする課題】
【０００７】
本発明は、水産資源動物の養殖において、水産資源動物を高い歩留で得るのに有用な水産動物資源用飼料およびこれを用いた水産資源動物の飼育方法の提供である。
【課題を解決するための手段】
【０００８】
すなわち本発明は、蒸煮工程を経て得られる植物エキスを含むことを特徴とする水産動物資源用飼料に関する。
また本発明は、植物エキスが、植物を蒸煮した後に水、エタノールまたはそれらの混合物で抽出して得られるエキスであることを特徴とする上記水産動物資源用飼料。
また本発明は、植物エキスがイネ科植物エキスであることを特徴とする上記水産動物資源用飼料に関する。
また本発明は、水産動物資源が甲殻類動物、フグ目動物、および／またはカレイ目動物であることを特徴とする上記水産動物資源用飼料に関する。
【０００９】
さらに本発明は、蒸煮工程を経て得られる植物エキスを含むことを特徴とする水産動物資源用飼料を用いる事を特徴とする水産動物の飼育方法に関する。
【発明の効果】
【００１０】
本発明が提供する水産動物資源飼料により、より高生存率で体重の大きい水産資源動物が得られることとなった。
【発明を実施するための最良の形態】
【００１１】
本発明は、蒸煮工程を経て得られる植物エキスを含むことを特徴とする水産動物資源用飼料である。
【００１２】
飼料中の植物エキスの含有量は特に制限されないが、効果の面から、植物エキス中の固形分重量が飼料重量の０．００２％以上が好ましく、０．０２％以上がより好ましい。
【００１３】
植物エキスは、抽出化工の前段階で蒸煮処理を実施する必要がある。蒸煮処理により、繊維成分であるセルロースやヘミセルロースの加水分解が起こり、後の抽出工程において、フェノール化合物やオリゴ糖の収率が格段に向上する。フェノール化合物には抗菌性を有するものが多く、抽出前に蒸煮処理をすることにより水質改善効果の向上が期待できる。また、蒸煮抽出により得られるオリゴ糖は水溶性であり、これを水産資源動物が食する事で腸内環境改善効果が期待できる他、水中の動物プランクトンにとっても有用な餌となり、この動物プランクトンが水産資源動物の餌となる。蒸煮時の温度は特に限定されないが、１５０℃以上が好ましい。
【００１４】
植物エキスを製造する際に用いる溶媒は水、エタノール、またはそれらの混合溶媒であるが、有効成分の抽出率の点で水が好ましい。抽出温度は特に限定されないが、６０℃以上が好ましく、８０℃以上がより好ましい。
【００１５】
植物エキスの原料となる植物はイネ科植物が好ましく、タケ亜科植物がより好ましい。理由としては、これらの植物には前記のフェノール化合物が多く含まれる他、これらの植物は茎や葉が固くそれゆえ蒸煮処理の効果が顕著である事が挙げられる。
【００１６】
タケ亜科植物にはマダケ属、ナリヒラダケ属、トウチク属、シホウチク属、オカメザサ属、ササ属、アズマザサ属、ヤダケ属、スズダケ属、メダケ属、カンチク属、マチク属、ホウライチク属及びシチク属が含まれ、また、ササ類にはササ属、アズマザサ属、スズダケ属、ヤダケ属、メダケ属及びカンチク属が含まれ、ササ属にはチシマザサ節、ナンブスズ節、アマギザサ節、チマキザサ節及びミヤコザサ節が含まれ、メダケ属にはリュウキュウチク節、メダケ節及びネザサ節が含まれるが、ササ類ササ属の植物が好ましい。
【００１７】
植物エキスの原料となる植物の部位は特に限定されないが、葉（稈付きでも稈無しでも可）、稈、茎、またはこれらの内２種類以上の部位の混合物が好ましい。
【００１８】
本発明の飼料を与える対象となる水産動物資源の種類は甲殻類動物、フグ目動物、および／またはカレイ目動物が好ましい。
【００１９】
甲殻類動物の例としては、クルマエビ、ウシエビ、テナガエビ、ガザミ、イセエビ、大正エビ、ウエスタンホワイトシュリンプ、ペナウスメルグイエンシス、ペナウスインディカス、メタペナウスエンシス、ペナウススチリロストリス、アカエビ、ハコエビ、ウチワエビ、アカザエビ、タラバエビ、サクラエビ、シャコ、プローン、ザリガニ、ロブスター、ズワイガニ、タラバガニ、ワタリガニ、マッドクラブ、上海カニ、ヤドカリが挙げられる。
【００２０】
フグ目動物の中では特にフグ科動物が好ましく、例としては、トラフグ、マフグ、クサフグ、ヒガンフグ、ショウサイフグ、サバフグ、淡水フグ類等が挙げられる。
【００２１】
カレイ科動物の中では、特にヒラメ科動物が好ましく、例としては、ヒラメ、カリフォルニアハリバット、タマガンゾウビラメ、ガンゾウヒラメ、メガレイ、テンジクガレイ、アラメガレイ等が挙げられる。
【００２２】
（実施例）
以下に本発明を詳細に説明する。
＜実施例１＞
１８０℃、１０分間高圧蒸煮した笹葉４０ｋｇに純水４００ｋｇを加えて１１０℃、３０分抽出後、抽出液をろ過、減圧濃縮してBrix 換算濃度５０％のササエキス５．０ｋｇを得た（ササエキスＡ）。
また、蒸煮工程を経ずに、笹葉４０ｋｇを３０分抽出後、抽出液をろ過、減圧濃縮してBrix換算濃度５０％としたササエキスを１．８ｋｇ得た（ササエキスＢ）。
【００２３】
クルマエビ用飼料として、イカミール４０％、魚粉３０％、オキアミミール５．０％、カゼイン５．０％、パン酵母１５％、ビタミンミックス（ハルバー処方）１．０％、ミネラルミックス（ハルバー処方) １．０％、乳酸カルシウム２．０％、アスコルビン酸燐酸塩０．８０％、上記のササエキスＡ０．２０％の組成の原材料を微粉砕し、混合、加水して、これをウエンガー式押出成型機にて直径３ｍｍの筒状に加熱押出成形し、１０ｍｍに切断してトレイに拡げて通風乾燥し、試験飼料を得た。ササエキスＡの代わりにササエキスＢを加えた物を作成し、同様に加工して対照飼料１とした。更に、ササエキスＡの代わりに増量剤としてデキストリン０．２０％を加えたものを作成し同様に加工して対照飼料２とした。
【００２４】
これらの飼料を日例１００日のクルマエビ（稚エビ、初期総重量５００ｇ）に投餌して、３０日後のクルマエビの総重量（蔽死したものを除く）を比較したところ、対象飼料２で飼育されたクルマエビの総重量は３．０ｋｇ、対照飼料１で飼育されたクルマエビの総重量は３．６ｋｇであったのに対し、試験試料で飼育されたクルマエビの総重量は８．０ｋｇであった。なお、水温は何れも２５−２７℃とした。
【００２５】
＜実施例２＞
トラフグ用飼料として、試験飼料、対照飼料１、対照飼料２とも実施例１と同様のものを用いた。平均体重約３ｇのトラフグの稚魚４０匹を直径１３０ｃｍ、深さ５０ｃｍの円筒型水槽に収容して３試験区を設けて３０日間飼育試験を行った。飼育期間中は約２５℃の海水を水槽の深さ４０ｃｍ以上を満たすように流した。各試験飼料は１日１回飽食給餌した。対照飼料２を与えられた稚魚４０匹のうち１７匹が死亡した（うち１４匹は他の稚魚に噛まれて死亡した）。また、対照飼料１を与えられた稚魚４０匹のうち１５匹が死亡した（うち１１匹は他の稚魚に噛まれて死亡した）。これらに対し、試験飼料を与えられた稚魚については４０匹のうち５匹が死亡した。平均体重は、対照飼料２を与えられた稚魚は４．８ｇ、対照飼料１を与えられた稚魚は５．２ｇであったのに対し、試験飼料を与えられた稚魚は６．３ｇであった。
【００２６】
＜実施例３＞
ヒラメ用飼料として、魚粉４０．０％、小麦グルテン３．０％、魚油１６．０％、ビタミン及びミネラル類１．５％、ササエキスＡ０．３％、水３９．２％をミキサーにてよく混合して試験飼料を得た。ササエキスＡの代わりにササエキスＢを加えたものを作成し同様に加工して対照飼料１とした。また更に、ササエキスＡの代わりに増量剤としてデキストリン０．３０％を加えたものを作成し同様に加工して対照飼料２とした。
【００２７】
ヒラメ稚魚を種苗生産業者から購入し、対照飼料を用い飼育条件下で１ヶ月予備飼育した所、平均体重１６．３ｇとなった。これを、４０ｍ３の容コンクリート製角型水槽内に設置した１×１×１ｍの網生簀へ５０尾ずつ３試験区に収容し、毎日２回（８: ３０と１６: ３０）、試験飼料、対照飼料を飽食給与して１ヶ月飼育した。飼育期間中にはコンクリート水槽に３００Ｌ/ ｍｉｎで新鮮な海水を注水し、絶えずエアレーションを行った。期間中の水温および平均溶存酸素量は１６．４〜２１．０℃および７．３ｍｇ/ Ｌであった。
【００２８】
対照飼料２を与えられた稚魚の平均体重は２６．８ｇ、対照飼料１を与えられた稚魚の平均体重は２６．６ｇであったのに対し、試験飼料を与えられた稚魚の平均体重は３１．２ｇであった（何れの試験区でも、稚魚は死亡しなかった）。
【００２９】
（実施例の結果）
実施例１〜３により、蒸煮工程を経て得られたササエキスを添加することにより、より高生存率で体重の大きい水産資源動物が得られる飼料が得られた事が解る。